(57)【特許請求の範囲】
【請求項１】
積層された複数枚のシート状感光フィルムをコの字形の保護部材で挟み、遮光防湿袋に収納して脱気、密閉された包装体であり、画像記録装置のフィルム装填部においては、遮光を保持しつつ、遮光防湿袋の一端辺を開封され、他端辺に設けられた係止孔が画像記録装置の係止手段に係止され、画像記録装置の巻回手段によって遮光防湿袋が巻き取られてフィルムが露出される、シート状感光フィルムの包装体の製造方法において、
シート状感光フィルムを遮光防湿袋に収納した後、遮光防湿袋の幅の一方の側にシート状感光フィルムを寄せてから脱気、密閉したことを特徴とする、シート状感光フィルムの包装体の製造方法。
【請求項２】
積層された複数枚のシート状感光フィルムをコの字形の保護部材で挟み、遮光防湿袋に収納して脱気、密閉された包装体であり、画像記録装置のフィルム装填部においては、遮光を保持しつつ、遮光防湿袋の一端辺を開封され、他端辺に設けられた係止孔が画像記録装置の係止手段に係止され、画像記録装置の巻回手段によって遮光防湿袋が巻き取られてフィルムが露出される、シート状感光フィルムの包装体の製造方法において、
収納装置の固定手段により遮光防湿袋の係止孔を固定し、かつ、収納装置の開口手段により、遮光防湿袋の開口部を開いて位置決めした後、
シート状感光フィルムの幅側面に接触する、収納装置の第１のガイド手段、および、遮光防湿袋の幅側面に接触する、収納装置の第２のガイド手段により、シート状感光フィルムの位置を規正しながら遮光防湿袋に収納し、
シート状感光フィルムと遮光防湿袋との位置関係を保ったまま、収納装置の開口手段を遮光防湿袋の開口部より退避させ、収納装置の脱気手段により遮光防湿袋の内部を脱気し、収納装置の密閉手段により、遮光防湿袋の開口部を密閉することを特徴とする、シート状感光フィルムの包装体の製造方法。
【請求項３】
積層された複数枚のシート状感光フィルムをコの字形の保護部材で挟み、遮光防湿袋に収納して脱気、密閉された包装体であり、画像記録装置のフィルム装填部においては、遮光を保持しつつ、遮光防湿袋の一端辺を開封され、他端辺に設けられた係止孔が画像記録装置の係止手段に係止され、画像記録装置の巻回手段によって遮光防湿袋が巻き取られてフィルムが露出される、シート状感光フィルムの包装体の製造方法において、
シート状感光フィルムを遮光防湿袋に収納して脱気、密閉して包装体とした後、
穿孔装置に設けられた、フィルムの輪郭に合わせた型枠に、包装体を収めて位置決めし、穿孔装置の穿孔手段により、包装体の遮光防湿袋に係止孔を穿孔することを特徴とする、シート状感光フィルムの包装体の製造方法。
【発明の詳細な説明】
【０００１】
【発明の属する技術分野】
本発明は、医療診断用のシート状感光フィルムを収納する包装体の製造方法に係わる。
【０００２】
【従来の技術】
医療診断用のシート状感光フィルムの包装体には、明室装填と呼ばれる形態があり、積層された複数枚のシート状感光フィルムをコの字形の保護部材で挟み、遮光防湿袋に収納して脱気、密閉された後、紙製の容器に収められた形態で提供されている。
【０００３】
シート状感光フィルムを画像記録装置に装填する際には、まず、紙製の容器から包装体を取り出し、画像記録装置のフィルム装填部に包装体を収め、遮光を保持しつつ、包装体の遮光防湿袋の一端辺をカッター等で開封し、遮光防湿袋の他端辺を手で引き抜くことをおこなっており、これにより、遮光されたフィルム装填部内には、シート状感光フィルムとコの字形の保護部材が露出して残留するようになっている。
【０００４】
【発明が解決しようとする課題】
しかしながら、上記のような方法でシート状感光フィルムを画像記録装置に装填するのは作業が煩わしい。
【０００５】
このため、遮光防湿袋を手で引き抜く代りに、遮光防湿袋に係止孔を設けておき、画像記録装置の係止手段によりその係止孔を係止し、画像記録装置の巻回手段によって遮光防湿袋を引き抜きながら巻き取って、フィルム装填部内にシート状感光フィルムが露出して残留させる、一連の作業を画像記録装置で自動でおこなうことで、作業の煩わしさを解消している。
【０００６】
包装体の遮光防湿袋を巻き取るためには、まず、遮光防湿袋の係止孔と画像記録装置の係止手段との位置が合って確実に係止することが必要であり、そのためには遮光防湿袋とその内部にあるシート状感光フィルムとが所定の位置関係になっていることが必要であり課題となる。
【０００７】
以下にこの課題について詳細に説明する。
通常、包装体の遮光防湿袋は、シート状感光フィルムに対して、幅の余裕をもって大きめに作られている。
【０００８】
これは、遮光防湿袋がシート状感光フィルムに対して密着するようにきつめに作られていると、包装体の製造時のシート状感光フィルムを遮光防湿袋へ収納する際、および、画像記録装置へのフィルム装填時において遮光防湿袋を引き抜く際に、シート状感光フィルムが遮光防湿袋の内面に引っ掛かりやすくなり、作業性が悪くなるためである。
【０００９】
参考として、従来の明室装填用の遮光防湿袋ではシート状感光フィルムに対して１５ｍｍ程度の幅の余裕をもって作られている。
【００１０】
このため、シート状感光フィルムを遮光防湿袋に収納し脱気、密閉するまでの間、シート状感光フィルムおよびコの字形の保護部材は、遮光防湿袋内で幅の余裕分だけ、任意の位置にいることができる。
【００１１】
また、遮光防湿袋の内部を脱気し、開口部を密閉した後では、遮光防湿袋表面が大気圧を受けるため、遮光防湿袋の内面とコの字形の保護部材の表面との間、および、コの字形の保護部材の内面とシート状感光フィルムの表面との間、および、積層された複数枚のシート状感光フィルムの表面同士の間が密着し、大きな摩擦力が発生して、シート状感光フィルムおよびコの字形の保護部材は、遮光防湿袋内でそれまでいた位置に固定され、包装体はそのままの形状が保たれる。
【００１２】
したがって、遮光防湿袋とその内部にあるシート状感光フィルムとが、予め、所定の位置関係からずれていると、ずれた状態の包装体が作られてしまう。
【００１３】
一方、画像記録装置のフィルム装填部にはフィルムの輪郭に合わせた型枠が設けられており、そこに包装体を収める。
【００１４】
また、画像記録装置の係止手段も型枠に対して所定の位置に設けられている。したがって、遮光防湿袋とその内部にあるシート状感光フィルムとが所定の位置関係からずれた状態の包装体を、画像記録装置の型枠に収めると、遮光防湿袋の係止孔と画像記録装置の係止手段との位置関係もずれてしまうため係止ができなくなる。
【００１５】
よって、遮光防湿袋とその内部にあるシート状感光フィルムとが所定の位置関係になっている包装体を作ることが重要な課題であることがわかる。
【００１６】
【課題を解決するための手段】
本発明の目的は下記構成により達成することができる。
【００２０】
（１）積層された複数枚のシート状感光フィルムをコの字形の保護部材で挟み、遮光防湿袋に収納して脱気、密閉された包装体であり、画像記録装置のフィルム装填部においては、遮光を保持しつつ、遮光防湿袋の一端辺を開封され、他端辺に設けられた係止孔が画像記録装置の係止手段に係止され、画像記録装置の巻回手段によって遮光防湿袋が巻き取られてフィルムが露出される、シート状感光フィルムの包装体の製造方法において、
シート状感光フィルムを遮光防湿袋に収納した後、遮光防湿袋の幅の一方の側にシート状感光フィルムを寄せてから脱気、密閉したことを特徴とする、シート状感光フィルムの包装体の製造方法。
【００２１】
（２）積層された複数枚のシート状感光フィルムをコの字形の保護部材で挟み、遮光防湿袋に収納して脱気、密閉された包装体であり、画像記録装置のフィルム装填部においては、遮光を保持しつつ、遮光防湿袋の一端辺を開封され、他端辺に設けられた係止孔が画像記録装置の係止手段に係止され、画像記録装置の巻回手段によって遮光防湿袋が巻き取られてフィルムが露出される、シート状感光フィルムの包装体の製造方法において、
収納装置の固定手段により遮光防湿袋の係止孔を固定し、かつ、収納装置の開口手段により、遮光防湿袋の開口部を開いて位置決めした後、
シート状感光フィルムの幅側面に接触する、収納装置の第１のガイド手段、および、遮光防湿袋の幅側面に接触する、収納装置の第２のガイド手段により、シート状感光フィルムの位置を規正しながら遮光防湿袋に収納し、
シート状感光フィルムと遮光防湿袋との位置関係を保ったまま、収納装置の開口手段を遮光防湿袋の開口部より退避させ、収納装置の脱気手段により遮光防湿袋の内部を脱気し、収納装置の密閉手段により、遮光防湿袋の開口部を密閉することを特徴とする、シート状感光フィルムの包装体の製造方法。
【００２２】
（３）積層された複数枚のシート状感光フィルムをコの字形の保護部材で挟み、遮光防湿袋に収納して脱気、密閉された包装体であり、画像記録装置のフィルム装填部においては、遮光を保持しつつ、遮光防湿袋の一端辺を開封され、他端辺に設けられた係止孔が画像記録装置の係止手段に係止され、画像記録装置の巻回手段によって遮光防湿袋が巻き取られてフィルムが露出される、シート状感光フィルムの包装体の製造方法において、
シート状感光フィルムを遮光防湿袋に収納して脱気、密閉して包装体とした後、
穿孔装置に設けられた、フィルムの輪郭に合わせた型枠に、包装体を収めて位置決めし、穿孔装置の穿孔手段により、包装体の遮光防湿袋に係止孔を穿孔することを特徴とする、シート状感光フィルムの包装体の製造方法。
【００２３】
前記（１）、（２）、（３）は請求項１、請求項２、請求項３に対応した各々独立した発明であり、単独で実施することもできるし、組み合わせて実施することもできる。
【００２４】
なお、説明の便宜上、前記（１）を請求項１といい、他もこれにならうこととする。
【００３２】
請求項１については、遮光防湿袋の幅の一方の側の内面に、シート状感光フィルムを寄せて突き当てるが、その突き当てた位置が所定の位置となるように、遮光防湿袋の係止孔が設けられているものである。
【００３３】
こうすることで、画像記録装置の係止手段が確実に遮光防湿袋の係止孔を係止できる、包装体の製造が可能になる。
【００３４】
請求項２については、遮光防湿袋に対してシート状感光フィルムが必ず所定の位置に来るように、遮光防湿袋が収納装置に位置決めして固定され、シート状感光フィルムは収納装置のガイド手段により規正されながら、遮光防湿袋内へ収納されるものである。
【００３５】
また、遮光防湿袋内の脱気，遮光防湿袋開口部の密閉が完了するまでは、シート状感光フィルムが所定の位置からずれないように、収納装置のガイド手段で規制している。
【００３６】
請求項３については、予め係止孔が設けられていない遮光防湿袋に、シート状感光フィルムを収納して脱気、密閉して係止孔の無い包装体を作った後、穿孔装置の型枠に包装体を収めて位置決めし、穿孔手段により包装体に係止孔を穿孔するものである。
【００３７】
こうすることで、シート状感光フィルムと遮光防湿袋との位置関係に依存せずに、係止孔をシート状感光フィルムに対して所定の位置に設けることができる。
また、別の態様として、下記の（ア）、（イ）、（ウ）に記載のシート状感光体フィルムの包装体を挙げることができる。
（ア）積層された複数枚のシート状感光フィルムをコの字形の保護部材で挟み、遮光防湿袋に収納して脱気、密閉された包装体であり、画像記録装置のフィルム装填部においては、遮光を保持しつつ、遮光防湿袋の一端辺を開封され、他端辺に設けられた係止孔が画像記録装置の係止手段に係止され、画像記録装置の巻回手段によって遮光防湿袋が巻き取られてフィルムが露出される、シート状感光フィルムの包装体であって、
遮光防湿袋の係止孔の幅を２０ｍｍ以上としたことを特徴とするシート状感光フィルムの包装体。
（イ）遮光防湿袋の係止孔の、少なくとも係止手段が接触する部分において、
遮光防湿袋を構成している２枚重なったフィルム部材を、ヒートシールにより貼り合わせて補強したことを特徴とする前記（１）に記載のシート状感光フィルムの包装体。
（ウ）積層された複数枚のシート状感光フィルムをコの字形の保護部材で挟み、遮光防湿袋に収納して脱気、密閉された包装体であり、画像記録装置のフィルム装填部においては、遮光を保持しつつ、遮光防湿袋の一端辺を開封され、他端辺に設けられた係止孔が画像記録装置の係止手段に係止され、画像記録装置の巻回手段によって遮光防湿袋が巻き取られてフィルムが露出される、シート状感光フィルムの包装体であって、
積層された複数枚のシート状感光フィルムに対する遮光防湿袋の幅の余裕を１０ｍｍ以下としたことを特徴とするシート状感光フィルムの包装体。
（ア）については、遮光防湿袋に対してシート状感光フィルムが所定の位置から、幅方向に最大限にずれたとしても、遮光防湿袋の係止孔の幅をそれ以上に大きくすることで、画像記録装置の係止手段に確実に係止させるものである。
（イ）については、（ア）で遮光防湿袋の係止孔の幅を大きくすることで、その周辺の遮光防湿袋の部材強度が弱くなるため、それを補強する目的で、遮光防湿袋を構成している２枚重なったフィルム部材を、ヒートシールにより貼り合わせるものである。
従来、遮光防湿袋は、アルミ蒸着されたナイロンフィルムと黒く着色されたポリエチレンフィルムとをラミネートしたフィルム部材から、折って２枚重ねの状態にし、ヒートシールにより貼りあわせ、断裁して作られている。
一方、画像記録装置の巻回手段によって遮光防湿袋が巻き取られる際に、係止孔周辺の遮光防湿袋のフィルム部材は引っ張られるが、フィルム部材２枚が重なっただけの状態では、どちらかのフィルム部材１枚に張力が集中やすく、フィルム部材が伸びたり裂けたりする懸念がある。
このため、係止孔周辺の２枚重ねになっているフィルム部材をヒートシールにより貼りあわせて一体とし、張力を分散させて伸びたり裂けたりするのを防止するものである。
また、張力は、画像記録装置の係止手段が接触する部分に集中するため、特に、この部分のフィルム部材をヒートシールにより貼りあわせることが有効となる。
（ウ）については、シート状感光フィルムに対する遮光防湿袋の幅の余裕を最小限にすることで、遮光防湿袋内でシート状感光フィルムが所定の位置から、幅方向に最大限にずれても、画像記録装置の係止手段が遮光防湿袋の係止孔を係止できる許容範囲に入るように、ずれ量を小さくさせるものである。
【００３８】
【発明の実施の形態】
本発明に関わる実施の形態の一例について、以下、図面を用いて説明する。
【００３９】
なお、本発明は医療診断用のシート状感光フィルムのみならず、例えば、印刷用シート状感光フィルムあるいは写真用感光紙を収納物の対象とすることができる。
【００４０】
図１は、シート状感光フィルムの包装体の外観を示す図である。
図において、１は包装体、２は遮光防湿袋、３は積層された複数枚のシート状感光フィルムを収納した収納部、４は遮光防湿袋の一端部（一端辺）、５は収納部３を挟んで一端部４と対向する他端部（他端辺）を示す。
【００４１】
６、７および８は遮光防湿袋２を構成しているフィルム部材をヒートシールにより貼りあわせた部分であり、これらによって収納部３を密閉している。
【００４２】
１０は後述する画像処理装置の係止手段に係止されるための係止孔であり、遮光防湿袋２の幅方向に沿って所定の位置に複数個設けられている。
【００４３】
１１は係止孔１０が画像記録装置の係止手段に直接接触する部分であり、補強のため、遮光防湿袋２を構成しているフィルム部材をヒートシールにより貼りあわせた部分９が設けられている。
【００４４】
図２は包装体の内部（収納部）を示す模式図である。
図において、１２は積層された複数枚のシート状感光フィルム、１３はコの字形の保護部材を示している。
【００４５】
また、収納部３の内部の空気は脱気され、減圧状態にある。
図３は包装体を幅方向に沿って切断した場合の断面図である。
【００４６】
積層されたシート状感光フィルム１２に対して、遮光防湿袋２は幅の余裕をもって大きめに作られているため、シート状感光フィルム１２の両側に、遮光防湿袋２を構成しているフィルム部材が余って２枚重ねになっている部分１４と１５がある。
【００４７】
この１４と１５を合わせた幅を、以下、幅の余裕と呼ぶことにする。
図４は、画像記録処理装置のフィルム装填部の概略図である。
【００４８】
図において、１０１、１０２、１０３はシート状感光フィルムの輪郭にあわせて位置出しされている型枠であり、これら型枠で囲まれた中に包装体１の収納部３を収めることで、包装体１を位置決めすることができる。
【００４９】
１０４、１０５は押さえローラーで、これらも型枠１０１、１０２、１０３とともに包装体１を位置決めする役割をもっている。
【００５０】
押さえローラー１０４はフィルム装填部１００の基体に軸受を介して固定され、回転自由となっている。
【００５１】
押さえローラー１０５はアーム１０６の先端に軸受を介して固定され、回転自由となっている。
【００５２】
アーム１０６は根元が軸受を介してフィルム装填部１００の基体に固定されており、これを支点として上下に開閉する。
【００５３】
アーム１０６の先端を上げた「開」の位置のときに、型枠１０１、１０２、１０３および押さえローラー１０４に囲まれた中に包装体１の収納部３を収め、その後、アーム１０６の先端を下げて「閉」の位置とすると、押さえローラー１０４および１０５によって、包装体１の他端部５が挟まれ、固定される。
【００５４】
図５は、包装体１がフィルム装填部１００に収められた状態を横から見た断面図である。
【００５５】
図において、フィルム装填部１００の上部にあるシャッター１０９は閉じられており、包装体１の一端部４はシャッター１０９に挟まれた状態で、フィルム装填部１００からはみ出ている。
【００５６】
この一端部４のはみ出た部分をカッター等で切除して開封するが、シャッター１０９によって挟まれているため、包装体１の内部には光が入らず遮光が保たれている。
【００５７】
次に、フィルム装填部１００全体が画像記録装置内へ格納され遮光される。その後、シャッター１０９が開き、巻回手段１０７が回転すると、巻回手段１０７に取りつけられた係止手段１０８の先端が、包装体１の他端部（他端辺）５に設けられた係止孔１０の中に入り、係止が完了する。
【００５８】
さらに巻回手段１０７が回転し、包装体１の遮光防湿袋２を巻き取っていく。押さえローラー１０４と１０５の間を、遮光防湿袋２は通り抜けていくが、コの字形の保護部材１３とそれに挟まれたシート状感光フィルム１２は通り抜けることができない。
【００５９】
よって、遮光防湿袋２のみが引き抜かれ、シート状感光フィルム１２とコの字形の保護部材１３は露出して残留する。
【００６０】
図６は、包装体１を画像記録処理装置のフィルム装填部１００に収めた状態の上面図である。
【００６１】
遮光防湿袋の幅に対してシート状感光フィルムが中央にあり、画像記録装置の係止手段１０８と係止孔１０の幅の中央とが一致する位置にあるので、遮光防湿袋２を確実に係止して巻き取ることができる。
【００６２】
このことが、遮光防湿袋とシート状感光フィルムとが所定位置にあるということである。
【００６３】
図７は、遮光防湿袋２の幅に対してシート状感光フィルム１２が所定位置から右側にずれた状態を示す図で、結果として、係止手段１０８に対して係止孔１０は左側にずれている。
【００６４】
図８は、反対に、遮光防湿袋２の幅に対してシート状感光フィルム１２が所定位置から左側にずれた状態を示しており、結果として、係止手段１０８に対して係止孔１０は右側にずれている。
【００６５】
このずれが発生する主な原因は、図３において説明した、シート状感光フィルム１２に対する遮光防湿袋２の幅の余裕があるためであり、係止孔１０の幅と係止手段１０８の幅との差以上にずれが大きくなると、係止ができなくなる。
【００６６】
前記（ア）では、シート状感光フィルム１２に対する遮光防湿袋２の幅の余裕が１５ｍｍ、係止手段の幅が５ｍｍであるのに対し、係止孔１０の幅を２０ｍｍ以上としている。また、係止孔１０を円形となっているが、長円としても良い。
【００６７】
前記（イ）では、係止孔１０の幅を大きくすることで、その周辺の遮光防湿袋２の部材強度が弱くなるため、係止手段１０８に直接接触する部分１１を補強する目的で、遮光防湿袋２を構成しているフィルム部材を、ヒートシールにより貼り合わせた部分９を設けたものである。
【００６８】
また、補強のためヒートシールにより貼り合わせる部分は、図９の１７のように係止孔１０を縁取るようにあっても良いし、図１０の１８ように遮光防湿袋２の他端部５の全体にあっても良い。
【００６９】
図９及び図１０はシート状感光フィルムの包装体の外観を示す図である。
前記（ウ）では、さらに確実に係止がおこなえるように、シート状感光フィルム１２に対する遮光防湿袋２の幅の余裕を１０ｍｍ以下として、遮光防湿袋２の幅に対するシート状感光フィルム１２の所定位置からのずれ量を小さくさせるものである。
【００７０】
図１１は、図３と同様に、包装体１を幅方向に沿って切断した場合の断面図であり、遮光防湿袋２の幅の左側の内面に、シート状感光フィルム１２が寄せて突き当てられている状態を示す。
【００７１】
このような状態の包装体１を、人手あるいは機械によって意図的に作り、かつ、このような状態で係止ができる位置に係止孔１０を設けておくことが、請求項１の発明である。
【００７２】
請求項１の発明においては、遮光防湿袋２に対するシート状感光フィルム１２の所定位置は、遮光防湿袋２の幅の中央ではなく、左端となる。
【００７３】
これは、特に人手でシート状感光フィルム１２を遮光防湿袋２に収納する場合、何の位置規正の無い遮光防湿袋２の中央にシート状感光フィルム１２を入れるよりも、遮光防湿袋２の内面にシート状感光フィルム１２突き当てて位置規制させたほうが位置出しやすいためである。
【００７４】
図１２は請求項２の発明を図示したもので、遮光防湿袋内の所定の位置にシート状感光フィルムを収納する装置の概略図である。
【００７５】
処理においては、遮光防湿袋２の係止孔１０に収納装置２００の固定手段２０１を差し込み、かつ、開口手段２０２ａ、２０２ｂにより、遮光防湿袋２の開口部１９を開いて固定位置決めした後、収納装置２００の第１のガイド手段２０３ａ、２０３ｂ、第２のガイド手段２０４ａ、２０４ｂにより、シート状感光フィルム１２を規制しながら、遮光防湿袋２内の所定の位置まで移動させる。
【００７６】
シート状感光フィルム１２を移動させるのは人手で押しても良いし、あるいは、図示しない機械手段で押しても良い。
【００７７】
また、開口手段２０２ａ、２０２ｂにもシート状感光フィルム１２を規制する役割を持たせることもできる。
【００７８】
シート状感光フィルム１２が遮光防湿袋２内の所定の位置に収納された後は、シート状感光フィルム１２と遮光防湿袋２との位置関係を保ったまま、開口手段２０２ａ、２０２ｂを開口部１９より退避させ、収納装置２００の図示しない脱気手段により遮光防湿袋２の内部を脱気し、収納装置２００の図示しない密閉手段により、遮光防湿袋２の開口部１９を密閉する。
【００７９】
また、密閉が完了するまでは、シート状感光フィルム１２が所定の位置からずれないように、第２のガイド手段２０４ａ、２０４ｂで規制をしている。
【００８０】
本実施の形態においては、密閉手段はヒートシールを用いており、ヒートシールにより開口部１９が密閉された部分が、図１における包装体１の一端部４のヒートシールにより貼り合わされた部分６になる。
【００８１】
図１３は請求項３の発明を図示したもので、シート状感光フィルムの包装体に係止孔を穿孔する装置の概略図である。
【００８２】
図中、１′はシート状感光フィルム１２を遮光防湿袋２に収納して脱気、密閉して包装体としたものであるが、この包装体１′には予め係止孔１０が設けられていない。
【００８３】
穿孔装置３００の型枠３０１は、シート状感光フィルム１２の輪郭に合わせて作られており、型枠３０１に収めることで包装体１′を位置決めすることができる。穿孔装置３００の穿孔手段３０２は型枠３０１に対して所定の位置に配置されており、これにより包装体１′の他端辺５′に係止孔１０を穿孔する。こうすることで、係止孔１０をシート状感光フィルム１２に対して所定の位置に設けることができる。
【００８４】
【発明の効果】
本発明によれば、遮光防湿袋に対してシート状感光フィルムを所定の位置に固定した包装体を製造することができ、画像処理装置のフィルム装填部において、包装体の遮光防湿袋を確実に係止し、巻取をおこなうことができる。
【図面の簡単な説明】
【図１】シート状感光フィルムの包装体の外観を示す図である。
【図２】包装体の内部（収納部）を示す模式図である。
【図３】包装体を幅方向に沿って切断した場合の断面図である。
【図４】画像記録処理装置のフィルム装填部の概略図である。
【図５】包装体がフィルム装填部に収められた状態を横から見た断面図である。
【図６】包装体を画像記録処理装置のフィルム装填部に収めた状態の上面図である。
【図７】遮光防湿袋の幅に対してシート状感光フィルムが所定位置から右側にずれた状態を示す図である。
【図８】遮光防湿袋の幅に対してシート状感光フィルムが所定位置から左側にずれた状態を示す図である。
【図９】シート状感光フィルムの包装体の外観を示す図である。
【図１０】シート状感光フィルムの包装体の外観を示す図である。
【図１１】包装体を幅方向に沿って切断した場合の断面図である。
【図１２】遮光防湿袋内の所定の位置にシート状感光フィルムを収納する装置の概略図である。
【図１３】シート状感光フィルムの包装体に係止孔を穿孔する装置の概略図である。
【符号の説明】
１，１′  シート状感光フィルムの包装体
２  遮光防湿袋
１０  係止孔
１２  積層された複数枚のシート状感光フィルム
１３  コの字形の保護部材
１００  画像記録処理装置のフィルム装填部
１０１，１０２，１０３  フィルム装填部の型枠
１０４，１０５  押さえローラー
１０７  巻回手段
１０８  係止手段
１０９  シャッター
２００  収納装置
２０１  固定手段
２０２ａ，ｂ  開口手段
２０３ａ，ｂ  第１のガイド手段
２０４ａ，ｂ  第２のガイド手段
３００  穿孔装置
３０１  穿孔装置の型枠
３０２  穿孔手段
【図１】
0003797042.tif 000002
【図２】
0003797042.tif 000003
【図３】
0003797042.tif 000004
【図４】
0003797042.tif 000005
【図５】
0003797042.tif 000006
【図６】
0003797042.tif 000007
【図７】
0003797042.tif 000008
【図８】
0003797042.tif 000009
【図９】
0003797042.tif 000010
【図１０】
0003797042.tif 000011
【図１１】
0003797042.tif 000012
【図１２】
0003797042.tif 000013
【図１３】
0003797042.tif 000014